(57)【要約】【課題】商品を加熱するヒーター部材を有するショーケースに関し、信頼性および耐久性の高いショーケースを提供する。【解決手段】ショーケースは、内部空間を外部空間から隔離するケース本体と、商品載置部を有する商品載置ユニットと、商品を加熱するヒーター部材と、照明装置と、電装部品と、冷却装置とを具備する。照明装置は、ケース本体に配置されるＬＥＤを含む。冷却装置は、空気を取り込むファンと、ファンによって取り込まれた空気をＬＥＤに向けて送る空気ダクトとを含む。【選択図】図１
2020130708.tif 000002
【特許請求の範囲】
【請求項１】
内部空間を外部空間から隔離するケース本体と、
前記内部空間に配置される商品載置部を有する商品載置ユニットと、
前記商品載置部上に配置される商品を加熱するヒーター部材と、
前記商品を照明する照明装置と、
前記ヒーター部材を作動させる電装部品と、
前記ヒーター部材によって加熱された前記照明装置を冷却する冷却装置と
を具備し、
前記照明装置は、前記ケース本体内に配置されるＬＥＤを含み、
前記冷却装置は、
前記外部空間から空気を取り込むファンと、
前記ファンによって取り込まれた前記空気を前記ＬＥＤに向けて送る空気ダクトと
を含む
ショーケース。
【請求項２】
前記商品が配置される空間と、前記空気ダクト内の空間とは互いに隔離されており、
前記冷却装置は、前記商品を冷却することなく前記照明装置を冷却する
請求項１に記載のショーケース。
【請求項３】
前記ファンによって取り込まれた前記空気は、前記電装部品を冷却してから前記ＬＥＤに向けて送られるか、あるいは、前記ＬＥＤを冷却してから前記電装部品に向けて送られるように構成されている
請求項１または２に記載のショーケース。
【請求項４】
前記照明装置は、ショーケース幅方向に沿って配置される複数の前記ＬＥＤを含み、
前記空気ダクトは、複数の前記ＬＥＤを冷却するために前記ショーケース幅方向に沿って配置される第１ダクトを含む
請求項１乃至３のいずれか一項に記載のショーケース。
【請求項５】
複数の前記ＬＥＤを含む照明ユニットが、前記ケース本体から取り外し可能であり、
前記照明ユニットは、前記ショーケース幅方向に沿って配置される前記第１ダクトを有する
請求項４に記載のショーケース。
【請求項６】
前記ケース本体は、
頂部と、
底部と、
前記頂部と底部とを連結し、前記底部から前記頂部に向かう方向に延在する第１連結部材と
を含み、
前記空気ダクトの一部を構成する第２ダクトが、前記第１連結部材内に配置されている
請求項１乃至５のいずれか一項に記載のショーケース。
【請求項７】
前記電装部品を囲む第１筐体と、
前記電装部品を冷却する空気が流れる電装部品冷却空気用ダクトと
を更に具備し、
前記電装部品冷却空気用ダクトは、前記第１筐体の頂部の上に形成され、
前記電装部品冷却空気用ダクトは、前記第１筐体の前記頂部に沿う方向の空気流路を規定する
請求項１乃至６のいずれか一項に記載のショーケース。
【請求項８】
前記電装部品冷却空気用ダクトは、前記第１筐体の頂部と、最下段の前記ヒーター部材との間に配置されている
請求項７に記載のショーケース。
【請求項９】
内部空間を外部空間から隔離するケース本体と、
前記内部空間に配置される商品載置部を有する商品載置ユニットと、
前記商品載置部上に配置される商品を加熱するヒーター部材と、
前記商品を照明する照明装置と、
前記ヒーター部材を作動させる電装部品と、
前記電装部品を囲む第１筐体と、
前記ヒーター部材によって加熱された前記電装部品を冷却する冷却装置と
を具備し、
前記冷却装置は、
前記外部空間から空気を取り込むファンと、
前記電装部品を冷却する空気が流れる電装部品冷却空気用ダクトと
を含み、
前記電装部品冷却空気用ダクトは、前記第１筐体の頂部の上に形成され、
前記電装部品冷却空気用ダクトは、前記第１筐体の前記頂部に沿う方向の空気流路を規定する
ショーケース。
【発明の詳細な説明】
【技術分野】
【０００１】
本発明は、ショーケースに関する。
【背景技術】
【０００２】
食品等の商品を陳列するショーケースが知られている。ショーケースは、例えば、コンビニエンスストア等の店舗に設置される。ショーケースの前面の少なくとも一部は、透明な部材によって構成されており、客は、ショーケースの内部を視認することが可能である。ショーケースには、客が自ら商品を取り出すように構成されたセルフサービス型のショーケースと、店員が商品を取り出すように構成された注文型のショーケースとがある。
【０００３】
関連する技術として、特許文献１には、ショーケース装置が開示されている。特許文献１には、ハウジングの上部に収納された電装部品を空冷することが記載されている。
【先行技術文献】
【特許文献】
【０００４】
【特許文献１】特開２００８−１１３８７０号公報
【発明の概要】
【発明が解決しようとする課題】
【０００５】
本発明の目的は、商品を加熱するヒーター部材を有するショーケースに関し、信頼性および耐久性の高いショーケースを提供することにある。
【課題を解決するための手段】
【０００６】
以下に、発明を実施するための形態で使用される番号・符号を用いて、課題を解決するための手段を説明する。これらの番号・符号は、特許請求の範囲の記載と発明を実施するための形態との対応関係の一例を示すために、参考として、括弧付きで付加されたものである。よって、括弧付きの記載により、特許請求の範囲は、限定的に解釈されるべきではない。
【０００７】
いくつかの実施形態におけるショーケースは、内部空間（ＳＰ１）を外部空間（ＴＰ）から隔離するケース本体（２）と、前記内部空間（ＳＰ１）に配置される商品載置部（４１）を有する商品載置ユニット（４）と、前記商品載置部（４１）上に配置される商品（Ｍ）を加熱するヒーター部材（５）と、前記商品（Ｍ）を照明する照明装置（７）と、前記ヒーター部材（５）を作動させる電装部品（６１）と、前記ヒーター部材（５）によって加熱された前記照明装置（７）を冷却する冷却装置（８）とを具備する。前記照明装置（７）は、前記ケース本体（２）内に配置されるＬＥＤ（７１）を含む。前記冷却装置（８）は、前記外部空間（ＴＰ）から空気を取り込むファン（８１）と、前記ファン（８１）によって取り込まれた前記空気を前記ＬＥＤ（７１）に向けて送る空気ダクト（８３）とを含む。
【０００８】
上記ショーケースにおいて、前記商品（Ｍ）が配置される空間（ＳＰ１）と、前記空気ダクト（８３）内の空間（ＳＰ２）とは互いに隔離されていてもよい。また、前記冷却装置（８）は、前記商品（Ｍ）を冷却することなく前記照明装置（７）を冷却してもよい。
【０００９】
上記ショーケースにおいて、前記ファン（８１）によって取り込まれた前記空気は、前記電装部品（６１）を冷却してから前記ＬＥＤ（７１）に向けて送られるか、あるいは、前記ＬＥＤ（７１）を冷却してから前記電装部品（６１）に向けて送られるように構成されていてもよい。
【００１０】
上記ショーケースにおいて、前記照明装置（７）は、ショーケース幅方向に沿って配置される複数の前記ＬＥＤ（７１）を含んでいてもよい。前記空気ダクト（８３）は、複数の前記ＬＥＤ（７１）を冷却するために前記ショーケース幅方向に沿って配置される第１ダクト（８３１）を含んでいてもよい。
【００１１】
上記ショーケースにおいて、複数の前記ＬＥＤ（７１）を含む照明ユニット（７０）が、前記ケース本体（２）から取り外し可能であってもよい。また、前記照明ユニット（７０）は、前記ショーケース幅方向に沿って配置される前記第１ダクト（８３１）を有していてもよい。
【００１２】
上記ショーケースにおいて、前記ケース本体（２）は、頂部（２３）と、底部（２４）と、前記頂部（２３）と底部（２４）とを連結し、前記底部（２３）から前記頂部（２４）に向かう方向に延在する第１連結部材（２５ａ）とを含んでいてもよい。また、前記空気ダクト（８３）の一部を構成する第２ダクト（８３２）が、前記第１連結部材（２５ａ）内に配置されていてもよい。
【００１３】
上記ショーケースは、前記電装部品（６１）を囲む第１筐体（６５）と、前記電装部品（６１）を冷却する空気が流れる電装部品冷却空気用ダクト（８７）とを更に具備していてもよい。前記電装部品冷却空気用ダクト（８７）は、前記第１筐体（６５）の頂部（６５１）の上に形成されていてもよい。また、前記電装部品冷却空気用ダクト（８７）は、前記第１筐体（６５）の前記頂部（６５１）に沿う方向の空気流路を規定してもよい。
【００１４】
上記ショーケースにおいて、前記電装部品冷却空気用ダクト（８７）は、前記第１筐体（６５）の頂部（６５１）と、最下段の前記ヒーター部材（５ａ）との間に配置されていてもよい。
【００１５】
いくつかの実施形態におけるショーケースは、内部空間（ＳＰ１）を外部空間（ＴＰ）から隔離するケース本体（２）と、前記内部空間（ＳＰ１）に配置される商品載置部（４１）を有する商品載置ユニット（４）と、前記商品載置部（４１）上に配置される商品（Ｍ）を加熱するヒーター部材（５）と、前記商品（Ｍ）を照明する照明装置（７）と、前記ヒーター部材（５）を作動させる電装部品（６１）と、前記電装部品（６１）を囲む第１筐体（６５）と、前記ヒーター部材（５）によって加熱された前記電装部品（６１）を冷却する冷却装置（８）とを具備する。前記冷却装置（８）は、前記外部空間（ＴＰ）から空気を取り込むファン（８１）と、前記電装部品（６１）を冷却する空気が流れる電装部品冷却空気用ダクト（８７）とを含む。前記電装部品冷却空気用ダクト（８７）は、前記第１筐体（６５）の頂部（６５１）の上に形成されている。また、前記電装部品冷却空気用ダクト（８７）は、前記第１筐体（６５）の前記頂部（６５１）に沿う方向の空気流路を規定する。
【発明の効果】
【００１６】
本発明により、商品を加熱するヒーター部材を有するショーケースに関し、信頼性および耐久性の高いショーケースを提供することができる。
【図面の簡単な説明】
【００１７】
【図１】図１は、実施形態におけるショーケースを模式的に示す概略縦断面図である。なお、図１は、商品載置ユニットが引き出し位置にある状態を示す。
【図２】図２は、実施形態におけるショーケースを模式的に示す概略縦断面図である。なお、図２は、商品載置ユニットが収納位置にある状態を示す。
【図３】図３は、冷却装置の各構成要素の配置例について説明するための模式図である。
【図４】図４は、照明ユニットを模式的に示す概略斜視図である。
【図５】図５は、実施形態におけるショーケースを模式的に示す概略縦断面図である。
【図６】図６は、電装部品冷却空気用ダクトの配置例を模式的に示す概略断面図である。
【図７】図７は、実施形態におけるショーケースを模式的に示す概略縦断面図である。
【図８】図８は、実施形態におけるショーケースを模式的に示す概略斜視図である。
【図９】図９は、実施形態におけるショーケースを模式的に示す概略斜視図である。
【図１０】図１０は、実施形態におけるショーケースを模式的に示す概略縦断面図である。
【発明を実施するための形態】
【００１８】
以下、実施形態におけるショーケース１に関して、添付図面を参照して説明する。なお、以下の説明において、同じ機能を有する部材については、同一の符号が付され、同一の符号が付されている部材について、繰り返しの説明は省略される。
【００１９】
（用語の定義）
本明細書において、ショーケース１の内部からショーケース１の正面に向かう方向を「第１方向」と定義し、第１方向と反対方向に向かう方向を「第２方向」と定義する。注文型のショーケースでは、一般的に、開閉部材２８が、店員と対面する側（換言すれば、背面側）に配置される。この場合、開閉部材２８の配置される側が、本明細書では、第２方向側である。他方、セルフサービス型のショーケースでは、一般的に、開閉部材２８は、客と対面する側（換言すれば、正面側）に配置される。この場合、開閉部材２８の配置される側が、本明細書では、第１方向側である。また、開閉部材２８が、客と対面する側に配置され、かつ、第２開閉部材９が、店員と対面する側に配置されることも想定される。この場合、本明細書では、開閉部材２８の配置される側を第１方向側と定義する。また、本明細書では、第１方向側のことを「前方」と呼び、第２方向側のことを「後方」と呼ぶ。
【００２０】
本明細書において、ショーケース１の正面からショーケース内に向かう方向に沿って見て（すなわち、第１方向側から第２方向側に向かう方向に沿って見て）右側を「右側」と定義し、ショーケース１の正面からショーケース内に向かう方向に沿って見て左側を「左側」と定義する。
【００２１】
本明細書において、店員および客（消費者）のことをまとめて「ユーザー」と呼ぶ。換言すれば、ユーザーには、店員および客（消費者）が含まれる。
【００２２】
（実施形態）
図１乃至図７を参照して、実施形態におけるショーケース１について説明する。図１および図２は、実施形態におけるショーケース１を模式的に示す概略縦断面図である。なお、図１は、商品載置ユニット４が引き出し位置にある状態を示し、図２は、商品載置ユニット４が収納位置にある状態を示す。図３は、冷却装置８の各構成要素の配置例について説明するための模式図である。図４は、照明ユニット７０を模式的に示す概略斜視図である。図５は、実施形態におけるショーケース１を模式的に示す概略縦断面図である。図６は、電装部品冷却空気用ダクト８７の配置例を模式的に示す概略断面図（水平面に対して多少傾斜した面における断面図であって、上から下を見た時の断面図）である。図７は、実施形態におけるショーケース１を模式的に示す概略縦断面図（空気ダクト８３ａの内部構造を示す断面図）である。
【００２３】
図１に示されるように、実施形態におけるショーケース１は、ケース本体２と、商品載置ユニット４と、ヒーター部材５と、電装部品６１と、照明装置７と、冷却装置８と、を備える。なお、図１に記載の例では、ケース本体２は、筐体部２０と、筐体部２０の開口部ＯＰを開閉可能な開閉部材２８とを備える。
【００２４】
ケース本体２は、商品Ｍが配置される内部空間ＳＰ１を、外部空間ＴＰから隔離する。図１に記載の例では、ショーケース１は、クローズ型のショーケースである。換言すれば、全ての開閉部材２８が閉位置にあるとき、内部空間ＳＰ１は、ケース本体２によって密閉される。なお、本明細書において、「密閉」とは、完全密閉に限定されない。換言すれば、部材間の隙間から空気が徐々に漏出する状態であっても、内部空間ＳＰ１が、内部空間ＳＰ１を規定する部材によって実質的に完全に囲まれていれば、「密閉」であるとみなされる。
【００２５】
図１に記載の例では、ケース本体２の筐体部２０は、側壁２１と、頂部２３と、底部２４と、商品載置ユニット４あるいは商品Ｍが通過可能な開口部ＯＰとを備える。開口部ＯＰは、ケース本体２の一部を構成する開閉部材２８によって開閉可能である。なお、開閉部材２８は、筐体部２０に取り付けられている。図１に記載の例では、開閉部材２８は、水平方向に平行な軸ＡＸまわりに回動可能なように、筐体部２０に取り付けられている。
【００２６】
商品載置ユニット４は、商品Ｍを載置する商品載置部４１を有する。商品載置ユニット４の商品載置部４１は、ケース本体２によって規定される内部空間ＳＰ１内に配置される。図１に記載の例では、商品載置ユニット４は、ケース本体２から引き出し可能なユニットである。換言すれば、商品載置ユニット４は、商品載置部４１がケース本体２内に配置された収納位置と、商品載置部４１がケース本体２外に引き出された引出位置との間で位置変更可能である。なお、図２に記載の例では、商品載置ユニット４が収納位置にある場合であっても、商品載置ユニット４の把手部４８は、ケース本体２外に位置するように構成されている。
【００２７】
商品載置ユニット４の商品載置部４１には、揚げ物、加温食品等の商品が載置される。商品は、直接、あるいは、トレイ等を介して、商品載置ユニット４上に載置される。
【００２８】
ヒーター部材５は、商品載置部４１上に配置される商品Ｍを加熱する部材である。ヒーター部材５は、商品載置ユニット４が収納位置にあるときに、商品載置部４１の直下に位置することが好ましい。
【００２９】
電装部品６１は、ヒーター部材５を含む電力供給対象部材を作動させる部品である。電装部品６１は、ヒーター部材５等に電力を供給すること、および／または、ヒーター部材５等を制御することが可能である。ヒーター部材５は、受け取った電力を熱エネルギに変換することにより発熱する。なお、電装部品６１は、後述のＬＥＤ７１を作動させてもよい（換言すれば、電装部品６１は、ＬＥＤ７１に電力を供給してもよいし、ＬＥＤ７１を制御してもよい）。また、電装部品６１は、後述のファン８１を作動させてもよい（換言すれば、電装部品６１は、ファン８１に電力を供給してもよいし、ファン８１を制御してもよい）。
【００３０】
照明装置７は、商品Ｍを照明する装置である。図１に記載の例では、照明装置７は、ケース本体２内に配置されるＬＥＤ７１（Ｌｉｇｈｔ  Ｅｍｉｔｔｉｎｇ  Ｄｉｏｄｅ）を含む。
【００３１】
商品Ｍを加熱するヒーター部材５と、ＬＥＤ７１との間の距離は、例えば、５０ｃｍ以下、３０ｃｍ以下、２０ｃｍ以下、あるいは、１０ｃｍ以下である。特に、ヒーター部材５の水平方向前方に、ＬＥＤ７１を配置する場合、ヒーター部材５とＬＥＤ７１との間の距離が小さくなる。加えて、図１に記載の例では、ＬＥＤ７１が、ケース本体２内に配置されている。このため、ＬＥＤ７１がヒーター部材５によって加熱されることにより、ＬＥＤ７１の温度が上昇する。なお、商品Ｍを加熱するヒーター部材５と、ＬＥＤ７１との間の距離は、５０ｃｍ以下に限定されない。例えば、ヒーター部材によって加熱された空気が、ケース本体２内を循環するように構成される場合、ヒーター部材と、ＬＥＤ７１との間の距離を、相対的に大きくすることができる。また、ＬＥＤ７１は、ヒーター部材５によって直接的または間接的に加熱されることに加え、ＬＥＤ７１自体の自己発熱によっても温度上昇する。
【００３２】
商品を加熱するヒーター部材を備えたショーケースでは、ケース本体によって規定される内部空間が高温状態となる。このため、耐久性の観点から、ＬＥＤをケース本体外に配置せざるを得なかった。換言すれば、ＬＥＤおよびヒーター部材の両方をケース本体内に配置したショーケースは、耐久性の観点から、実用化困難であった。
【００３３】
そこで、図１に記載のショーケース１は、ヒーター部材５によって加熱された照明装置７（より具体的には、ＬＥＤ７１）を冷却する冷却装置８を備えることを特徴とする。なお、本明細書において、「ヒーター部材によって加熱」とは、ヒーター部材によって直接的に加熱されることに加え、ヒーター部材によって間接的に加熱されることも包含される。例えば、ヒーター部材によって加熱された空気が、ケース本体２内を循環するように構成される場合、照明装置７（より具体的には、ＬＥＤ７１）は、ヒーター部材によって間接的に加熱されることとなる。
【００３４】
ヒーター部材５を最大出力で作動させると、ヒーター部材５の周囲の温度は、摂氏８０度以上、摂氏１００度以上、摂氏１２０度以上、あるいは、摂氏１４０度以上となる。ヒーター部材５の近傍に配置されるＬＥＤ７１を効果的に冷却するために、冷却装置８は、ファン８１（図３を参照。）を用いてＬＥＤを強制冷却することが好ましい。ファン８１は、内部空間ＳＰ１内の空気の温度よりも温度が低い空気を外部空間ＴＰから取り込む。
【００３５】
また、冷却装置８（強制冷却装置）は、ファン８１によって取り込まれた空気をＬＥＤ７１に向けて送る空気ダクト８３を備えることが好ましい。空気ダクト８３は、ＬＥＤ７１に向かう空気流路（より具体的には、管路）を規定する。図１に記載の例では、ＬＥＤ７１が空気ダクト８３内に配置されている。代替的に、ＬＥＤ７１が空気ダクト８３の外部に配置され、ＬＥＤ７１から空気ダクト８３への熱伝導によりＬＥＤ７１が冷却されるようにしてもよい。また、図１に記載の例では、ＬＥＤ７１の下面が透明部材７４によって覆われている。この場合、ＬＥＤ７１が汚れることが抑制される。また、図１に記載の例では、透明部材７４が空気ダクト８３の一部を構成している。代替的に、空気ダクト８３が、透明部材７４とは独立して形成されてもよい。
【００３６】
実施形態におけるショーケース１では、内部空間ＳＰ１内の空気の温度よりも温度が低い空気が流れる空気ダクト８３を用いて、ＬＥＤ７１が冷却される。このため、ヒーター部材５の周囲の温度が、摂氏１００度以上、摂氏１２０度以上、あるいは、摂氏１４０度以上となる場合であっても、ＬＥＤ７１の温度を、摂氏１００度未満、摂氏９０度未満、あるいは、摂氏８０度未満に維持可能である。また、ヒーター部材５の周囲の温度が、摂氏８０度以上１００度未満となる場合には、ＬＥＤ７１の温度を摂氏８０度未満に維持可能である。その結果、ケース本体２内に配置されるＬＥＤ７１の耐久性が向上し、信頼性および耐久性の高いショーケース１が提供される。
【００３７】
なお、ケース本体２の内部空間ＳＰ１が高温となること、および／または、内部空間ＳＰ１に面する照明装置７に食品からの油分が付着することを考慮すれば、照明装置７（より具体的には、ＬＥＤ７１）をケース本体２外に配置することが技術常識である。これに対し、実施形態では、敢えて、ヒーター部材５および照明装置７（より具体的には、ＬＥＤ７１）の両方をケース本体２内に配置し、かつ、照明装置７（より具体的には、ＬＥＤ７１）を強制的に冷却する機構を採用している点で画期的である。なお、ＬＥＤ７１等の照明装置７がケース本体２内に配置される場合には、ショーケースのケース本体の正面外方に照明装置７を露出させる必要がない。このため、ショーケースの正面側からショーケースの内部を視認するときのショーケースの見栄えが向上する。また、ＬＥＤ７１等の照明装置７がケース本体２内に配置される場合、照明装置７と商品との間の距離が短くなる。このため、同じ出力で商品を照明する場合であっても、商品をより明るく照明することができる。さらに、ＬＥＤ７１等の照明装置７がケース本体２内に配置される場合、フロントガラス等の透明部材の色が商品に映り込みにくい。よって、商品の見栄えも向上する。
【００３８】
実施形態において、商品Ｍが配置される内部空間ＳＰ１と、空気ダクト８３内の空間ＳＰ２とは互いに隔離されていることが好ましい。この場合、冷却装置８（換言すれば、空気ダクト８３に供給された空気）は、商品Ｍを冷却することなく照明装置７（より具体的には、ＬＥＤ７１）を冷却することとなる。また、商品Ｍが配置される内部空間ＳＰ１と、空気ダクト８３内の空間ＳＰ２とが互いに隔離されている場合には、空気ダクト８３内の空間ＳＰ２が、食品からの油分によって汚染されることが防止される。よって、空気ダクト８３内部を清掃する必要がないか、あるいは、空気ダクト８３内部を清掃する頻度が低減される。
【００３９】
図１に記載の例では、ヒーター部材５は、ケース本体２に固定されている（換言すれば、ヒーター部材５は、ケース本体２に対して相対移動不能である）。これに対し、商品載置ユニット４は、ケース本体２に対して相対移動可能である。商品載置ユニット４がヒーター部材５に対して相対移動する場合、商品載置ユニット４とヒーター部材５との間には隙間が形成されることとなる。この場合、ヒーター部材５から商品載置ユニット４への熱伝導が低下するため、ヒーター部材５の発熱量をより大きくせざるを得ない。そのような場合であっても、実施形態では、ＬＥＤ７１が強制冷却されるため、ＬＥＤ７１の耐久性に問題が生じることはない。また、図１に記載の例では、ヒーター部材５の水平方向前方側にＬＥＤ７１を配置され、ヒーター部材５とＬＥＤ７１との間の距離が小さい。このため、ＬＥＤ７１が、ヒーター部材５によって加熱されやすい。しかし、実施形態では、ＬＥＤ７１が強制冷却されるため、ＬＥＤ７１の耐久性に問題が生じることはない。なお、ヒーター部材５を含むヒーターユニット５０から、照明ユニット７０への熱伝導を抑制する観点から、ヒーターユニット５０の前端と照明ユニット７０の後端との間には隙間Ｇ（図１を参照。）が形成されていることが好ましい。
【００４０】
照明装置７の冷却効率を向上させるために、照明装置７の一部分が外部空間ＴＰに面し、照明装置７の一部分が内部空間ＳＰ１に面するようにしてもよい。この場合、ヒーター部材５によって加熱された照明装置７から、照明装置７のうちの外部空間ＴＰに面する面７５を介して、外部空間ＴＰに熱が放熱される。図１に記載の例では、照明装置７の前方側の面７５が、外部空間ＴＰに面している。なお、照明装置７のうちの外部空間ＴＰに面する面７５がアルミ等の金属材によって形成されている場合には、放熱効率が高い。また、照明装置７の金属材の一面が外部空間ＴＰに面する面７５であり、当該金属材の他の一面７６がＬＥＤ基板７２と接触する面である場合には、更に放熱効率が高い。
【００４１】
図１に記載の例では、ヒーター部材５が、電装部品６１の近傍にも配置されている。この場合、電装部品６１もヒーター部材５によって加熱される。なお、図１に記載の例では、電装部品６１、および、電装部品６１を収納する第１筐体６５（図５を参照。）が、ケース本体２の底部２４に配置されている。
【００４２】
実施形態におけるショーケース１において、ＬＥＤ７１と電装部品６１とを同時に冷却するために、ファン８１によって取り込まれた空気が、電装部品６１を冷却してからＬＥＤ７１に向けて送られるか、あるいは、ＬＥＤ７１を冷却してから電装部品６１に向けて送られるようにしてもよい。より具体的には、ＬＥＤ７１を冷却する空気が流れる空気ダクト８３（すなわち、ＬＥＤ冷却空気用ダクト）と、電装部品６１を冷却する空気が流れる電装部品冷却空気用ダクト８７とが互いに連通するようにしてもよい。この場合、電装部品冷却空気用ダクト８７を通って流れた空気が空気ダクト８３に供給されるか、あるいは、空気ダクト８３を通って流れた空気が電装部品冷却空気用ダクト８７に供給されることとなる。
【００４３】
ＬＥＤ７１を冷却する空気が流れる空気ダクト８３と、電装部品６１を冷却する空気が流れる電装部品冷却空気用ダクト８７とが互いに連通している場合、ファン８１の数を増加させることなく、ＬＥＤ７１および電装部品６１の両方を効果的に冷却することができる。なお、図１に記載の例では、商品Ｍが配置される内部空間ＳＰ１と電装部品６１が配置される空間ＳＰ３とが互いに隔離されている。また、電装部品６１が配置される空間ＳＰ３および商品Ｍが配置される内部空間ＳＰ１と、電装部品冷却空気用ダクト８７とが互いに隔離されている。
【００４４】
（冷却装置８の配置例）
図３および図４を参照して、実施形態における冷却装置８の各構成要素の配置例について説明する。
【００４５】
冷却装置８は、外部空間ＴＰから空気を取り込むファン８１と、空気吸引口８２と、ファン８１によって取り込まれた空気をＬＥＤ７１に向けて送る空気ダクト８３と、空気排出口８４とを備える。
【００４６】
図３に記載の例では、照明装置７は、複数のＬＥＤ７１を含む。また、複数のＬＥＤ７１は、ショーケース１の幅方向（ショーケースの右側板から左側板に向かう方向）に沿って配置されている。また、空気ダクト８３は、複数のＬＥＤ７１を冷却するためにショーケース１の幅方向に沿って配置される第１ダクト８３１を含む。第１ダクト８３１内の空間は、ケース本体２内の商品Ｍが配置される空間から隔離されていることが好ましい。
【００４７】
冷却装置８が、ショーケース１の幅方向に沿って配置される第１ダクト８３１を含む場合、複数のＬＥＤ７１を同時に効率的に冷却することができる。また、第１ダクト８３１内の空間が、ケース本体２内の商品Ｍが配置される空間から隔離されている場合には、第１ダクト８３１を流れる空気によって商品Ｍが冷却されることが防止される。
【００４８】
図３に記載の例では、照明装置７は、ショーケース１の幅方向に沿って配置され、最下段の商品載置ユニット上の商品を照明する第１組の複数のＬＥＤ７１ａと、ショーケース１の幅方向に沿って配置され、最上段の商品載置ユニット上の商品を照明する第２組の複数のＬＥＤ７１ｂとを含む。照明装置７は、ショーケース１の幅方向に沿って配置され、中段の商品載置ユニット上の商品を照明する第３組の複数のＬＥＤ７１ｃを備えていてもよい。なお、本明細書において、「中段」とは、「最上段」と「最下段」との間のことを意味する。よって、例えば、実施形態におけるショーケース１が、４段の商品載置ユニットを備える場合には、上から２段目の商品載置ユニット、および、上から３段目の商品載置ユニットが、中段の商品載置ユニットである。
【００４９】
図３に記載の例では、第１ダクト８３１は、第１組の複数のＬＥＤ７１ａを冷却する空気が流れる最下段ダクト８３１ａと、第２組の複数のＬＥＤ７１ｂを冷却する空気が流れる最上段ダクト８３１ｂとを含む。また、最下段ダクト８３１ａと、最上段ダクト８３１ｂとは、互いに平行である。なお、第１ダクト８３１は、第３組の複数のＬＥＤ７１ｃを冷却する空気が流れる中段ダクト８３１ｃを含んでいてもよい。また、中段ダクト８３１ｃが、最上段ダクト８３１ｂと平行に配置されていてもよい。
【００５０】
図３に記載の例では、第１組の複数のＬＥＤ７１ａが、最下段ダクト８３１ａの外部に配置され、当該複数のＬＥＤ７１ａと最下段ダクト８３１ａとが熱伝導部材（例えば、ＬＥＤ基板７２ａ）を介して接続されている。代替的に、あるいは、付加的に、第１組の複数のＬＥＤ７１ａが、最下段ダクト８３１ａの内部に配置されていてもよい。
【００５１】
図３に記載の例では、第２組の複数のＬＥＤ７１ｂが、最上段ダクト８３１ｂの外部に配置され、当該複数のＬＥＤ７１ｂと最上段ダクト８３１ｂとが熱伝導部材（例えば、ＬＥＤ基板７２ｂ）を介して接続されている。代替的に、あるいは、付加的に、第２組の複数のＬＥＤ７１ｂが、最上段ダクト８３１ｂの内部に配置されていてもよい。
【００５２】
図３に記載の例では、第３組の複数のＬＥＤ７１ｃが、中段ダクト８３１ｃの外部に配置され、当該複数のＬＥＤ７１ｃと中段ダクト８３１ｃとが熱伝導部材（例えば、ＬＥＤ基板７２ｃ）を介して接続されている。代替的に、あるいは、付加的に、第３組の複数のＬＥＤ７１ｃが、中段ダクト８３１ｃの内部に配置されていてもよい。
【００５３】
図４に示されるように、複数のＬＥＤ７１を含む照明ユニット７０は、ケース本体２から取り外し可能であってもよい。また、照明ユニット７０は、上述の第１ダクト８３１を有していてもよい。複数のＬＥＤ７１および第１ダクト８３１を備えた照明ユニット７０が、ケース本体２から取り外し可能である場合、ＬＥＤ７１（または、照明ユニット７０全体）の交換が容易である。また、照明ユニット７０（例えば、ＬＥＤ７１または第１ダクト８３１）の清掃等のメンテナンスが容易である。
【００５４】
また、照明ユニット７０が、第１ダクト８３１を有する場合、照明ユニット７０をケース本体２に取り付けるだけで、ＬＥＤ７１を冷却する空気が通る空気ダクト８３を組み立てることができる。なお、図４に記載の例では、照明ユニット７０は、ケース本体２自体に形成される空気ダクト、および／または、ファン８１とは別体である。
【００５５】
図４に記載の例では、照明ユニット７０は、第１組の複数のＬＥＤ７１ａおよび最下段ダクト８３１ａを備えた第１照明ユニット７０ａと、第２組の複数のＬＥＤ７１ｂおよび最上段ダクト８３１ｂを備えた第２照明ユニット７０ｂとを含む。第２照明ユニット７０ｂは、第１照明ユニット７０ａとは別体である。照明ユニット７０は、第３組の複数のＬＥＤ７１ｃおよび中段ダクト８３１ｃを備えた第３照明ユニット７０ｃを含んでいてもよい。
【００５６】
図４に記載の例では、照明ユニット７０（より具体的には、第１照明ユニット７０ａ、第２照明ユニット７０ｂ、または、第３照明ユニット７０ｃ）は、照明ユニット７０内の第１ダクト８３１に空気を送る入口開口７０２と、当該第１ダクト８３１から空気を取り出す出口開口７０４とを含む。入口開口７０２は、照明ユニット７０の第１端部７０１（照明ユニット７０の長手方向端部）に配置され、出口開口７０４は、照明ユニット７０の第２端部７０３（第１端部７０１とは反対側の端部）に配置されている。
【００５７】
照明ユニット７０が、ケース本体２に取り付けられると、入口開口７０２は、ケース本体の第１側部（例えば、右側壁）に沿って配置された第２ダクト８３２（図３を参照。）と接続される。また、照明ユニット７０が、ケース本体２に取り付けられると、出口開口７０４は、ケース本体の第２側部（例えば、左側壁）に沿って配置された第３ダクト８３３（図３を参照。）と接続される。
【００５８】
図３に記載の例では、ケース本体２は、頂部２３と、底部２４と、底部２４から頂部２３に向かう方向に延在する第１連結部材２５ａ（より具体的には、第１柱部材）とを有する。第１連結部材２５ａは、当該第１連結部材２５ａ内に配置された第２ダクト８３２を含む。空気ダクト８３の一部を構成する第２ダクト８３２が、第１連結部材２５ａ内に配置される場合、第１連結部材２５ａは、構造部材としての機能と、空気流路としての機能を併せ持つこととなる。また、第２ダクト８３２が、第１連結部材２５ａ内に配置されていることにより、第２ダクト８３２が損傷しにくい。なお、第２ダクト８３２を第１連結部材２５ａ内に配置する方法としては、第１連結部材２５ａの壁をそのまま第２ダクト８３２として用いる方法と、第１連結部材２５ａの壁内に、第１連結部材２５ａの壁とは別体の第２ダクト８３２を配置する方法とがある。また、第２ダクト８３２を規定する壁の一部を第１連結部材２５ａによって構成し、第２ダクト８３２を規定する壁の他の一部を第１連結部材２５ａ以外の部材によって構成してもよい。
【００５９】
図３に記載の例では、ケース本体２は、底部２４から頂部２３に向かう方向に延在する第２連結部材２５ｂ（より具体的には、第２柱部材）を有する。第２連結部材２５ｂは、当該第２連結部材２５ｂ内に配置された第３ダクト８３３を含む。空気ダクト８３の一部を構成する第３ダクト８３３が、第２連結部材２５ｂ内に配置されている場合、第２連結部材２５ｂは、構造部材としての機能と、空気流路としての機能を併せ持つこととなる。また、第３ダクト８３３が、第２連結部材２５ｂ内に配置されていることにより、第３ダクト８３３が損傷しにくい。なお、第３ダクト８３３を第２連結部材２５ｂ内に配置する方法としては、第２連結部材２５ｂの壁をそのまま第３ダクト８３３として用いる方法と、第２連結部材２５ｂの壁内に、第２連結部材２５ｂの壁とは別体の第３ダクト８３３を配置する方法とがある。また、第３ダクト８３３を規定する壁の一部を第２連結部材２５ｂによって構成し、第３ダクト８３３を規定する壁の他の一部を第２連結部材２５ｂ以外の部材によって構成してもよい。
【００６０】
図３に記載の例では、ケース本体２は、空気吸引口８２を備える。空気吸引口８２は、例えば、ケース本体２のうち背面（店員側の面）に形成される。図３に記載の例では、空気吸引口８２の高さは、最下段ダクト８３１ａの高さよりも低い。ただし、空気吸引口８２の高さは、図３に記載の例に限定されない。例えば、空気吸引口８２の高さは、最上段ダクト８３１ｂの高さより高くてもよい。なお、図３に記載の例では、空気吸引口８２にフィルタ部材８５が配置されているが、当該フィルタ部材８５は省略されてもよい。
【００６１】
図３に記載の例では、ケース本体２内にファン８１が配置されている。図３に記載の例では、ファン８１を駆動することにより、空気吸引口８２から取り入れられた空気は、電装部品冷却空気用ダクト８７、および、第２ダクト８３２に供給される。
【００６２】
図３に記載の例では、空気吸引口８２から取り入れられた空気は、電装部品冷却空気用ダクト８７、第２ダクト８３２、第１ダクト８３１、第３ダクト８３３を順番に通過する。第３ダクト８３３に入った空気は、ケース本体２に形成された空気排出口８４から排出される。換言すれば、第３ダクト８３３は、ＬＥＤ７１の冷却に使用された空気を、外部空間ＴＰに排出する空気排出口８４と連通している。
【００６３】
図３に記載の例では、空気排出口８４の高さは、最上段ダクト８３１ｂの高さよりも高い。ただし、空気排出口８４の高さは、図３に記載の例に限定されない。例えば、空気排出口８４の高さは、最下段ダクト８３１ａの高さより低くてもよい。なお、空気排出口８４が、ケース本体２の頂部２３に設けられる場合、より具体的には、空気排出口８４が、頂部２３から上方に向かって空気を排出する場合、排出された空気がユーザーに直接的に当たることがない。よって、空気排出口８４からの空気がユーザーに当たることにより、ユーザーが不快に感じることがない。
【００６４】
図３に記載の例では、第２ダクト８３２は、最下段ダクト８３１ａ、および、最上段ダクト８３１ｂの両方に空気を供給する供給側ダクトとして機能する。付加的に、第２ダクト８３２は、中段ダクト８３１ｃに空気を供給するダクトとして機能してもよい。最下段ダクト８３１ａの入口開口、および、最上段ダクト８３１ｂの入口開口（並びに、中段ダクト８３１ｃの入口開口）を、１つの供給側ダクト（例えば、第２ダクト８３２）と接続することにより、供給側ダクトの数を増加させることなく、複数の第１ダクト（８３１ａ、８３１ｂ、８３１ｃ）に空気を供給することが可能となる。
【００６５】
図３に記載の例では、第３ダクト８３３は、最下段ダクト８３１ａ、および、最上段ダクト８３１ｂの両方から空気を受け取る排出側ダクトとして機能する。付加的に、第３ダクト８３３は、中段ダクト８３１ｃから空気を受け取るダクトとして機能してもよい。最下段ダクト８３１ａの出口開口、および、最上段ダクト８３１ｂの出口開口（並びに、中段ダクト８３１ｃの出口開口）を、１つの排出側ダクト（例えば、第３ダクト８３３）と接続することにより、排出側ダクトの数を増加させることなく、複数の第１ダクト（８３１ａ、８３１ｂ、８３１ｃ）から空気を取り出すことが可能となる。
【００６６】
（電装部品冷却空気用ダクト８７の配置例）
図５および図６を参照して、実施形態における電装部品冷却空気用ダクト８７の配置例について説明する。
【００６７】
図５に記載の例では、ショーケース１は、電装部品６１を囲む第１筐体６５を含む。また、図５に記載の例では、電装部品冷却空気用ダクト８７が、第１筐体６５の頂部の上に形成されている。より具体的には、図５に記載の例では、電装部品冷却空気用ダクト８７の底面８７１は、前記第１筐体６５の頂部上面によって構成されている。
【００６８】
図５に記載の例では、電装部品冷却空気用ダクト８７と、第１筐体６５内の空間ＳＰ３とが、第１筐体６５の頂部によって隔離されている。電装部品冷却空気用ダクト８７と第１筐体６５内の空間とが隔離されることにより、電装部品冷却空気用ダクト８７を流れる空気が、電装部品６１に直接的に当たることが防止される。この場合、電装部品冷却空気用ダクト８７を流れる空気に含まれる粉塵が、電装部品６１に堆積することが防止される。
【００６９】
図６に記載の例では、電装部品冷却空気用ダクト８７は、第１筐体６５の頂部６５１に沿う方向の空気流路を規定している。空気流路が、第１筐体６５の頂部６５１に沿っていることにより、第１筐体６５の頂部６５１が効果的に冷却され、その結果、第１筐体６５の頂部６５１と接する第１筐体６５内の空気が冷却される。また、第１筐体６５内の空気が冷却されることにより、電装部品６１が冷却される。
【００７０】
図５に記載の例では、電装部品冷却空気用ダクト８７は、第１筐体６５の頂部６５１と、最下段のヒーター部材５ａとの間に配置されている。この場合、電装部品冷却空気用ダクト８７は、電装部品６１を冷却する空気が通る流路として機能するとともに、ヒーター部材５ａからの熱が第１筐体６５に伝わるのを抑制する断熱空気層を形成する断熱部材としても機能する。
【００７１】
電装部品６１を収納する第１筐体６５の直上にヒーター部材５ａが配置される場合、第１筐体６５がヒーター部材５ａによって加熱されやすい（例えば、ヒーター部材５ａと第１筐体６５の頂部６５１との間の最小距離は、１５ｃｍ以下、１０ｃｍ以下、あるいは、５ｃｍ以下である。）。しかし、図５に記載の例では、電装部品６１とヒーター部材５ａとの間に電装部品冷却空気用ダクト８７が配置され、当該電装部品冷却空気用ダクト８７が断熱部材として機能する。このため、ヒーター部材５ａによって第１筐体６５が加熱されることが効果的に抑制される。
【００７２】
図５に記載の例では、電装部品冷却空気用ダクト８７の頂部を構成する部材と、電装部品冷却空気用ダクト８７の底部を構成する部材とが別部材である。この場合、電装部品冷却空気用ダクト８７の頂部を構成する部材を、電装部品冷却空気用ダクト８７の底部を構成する部材に取り付けることにより、電装部品冷却空気用ダクト８７が組み立てられる。なお、電装部品冷却空気用ダクト８７の頂部を構成する部材の熱伝導率および／または熱輻射率を、電装部品冷却空気用ダクト８７の底部を構成する部材の熱伝導率および／または熱輻射率より低くしてもよい。
【００７３】
図６に記載の例では、電装部品冷却空気用ダクト８７は、第１筐体６５の第１端部から第２端部に向かう方向の空気流れを形成する第１部分８７ａと、第１筐体６５の第２端部から第１端部に向かう方向の空気流れを形成する第２部分８７ｂと、第１筐体６５の第１端部から第２端部に向かう方向の空気流れを形成する第３部分８７ｃとを備える。ただし、電装部品冷却空気用ダクト８７の流路の配置は、図６に記載の例に限定されない。
【００７４】
電装部品冷却空気用ダクト８７は、空気取入口８７２および空気取出口８７３を備える。図６に記載の例では、空気取入口８７２は、ファン８１が配置されるファン収納室に接続されている。
【００７５】
図６に記載の例では、電装部品冷却空気用ダクト８７は、連結ダクト８８を介して、上述の第２ダクト８３２に接続されている。この場合、電装部品６１の冷却に使用された空気は、ＬＥＤ７１を冷却するために再利用される。
【００７６】
代替的に、電装部品冷却空気用ダクト８７は、連結ダクト８８を介して、上述の第３ダクト８３３に接続されるようにしてもよい。この場合、ＬＥＤ７１の冷却に使用された空気が、電装部品６１を冷却するために再利用されることとなる。
【００７７】
図５および図６に記載の例では、ショーケース１が、電装部品冷却空気用ダクト８７を備え、電装部品６１が、電装部品冷却空気用ダクト８７を流れる空気によって、効果的に冷却される。その結果、ケース本体２内に配置される電装部品６１の耐久性が向上し、信頼性および耐久性の高いショーケース１が提供される。
【００７８】
（ケース本体２の底部２４から頂部２３に向かう方向に延在する空気ダクト８３ａの構造の一例）
図７に記載の例では、ショーケース１は、ケース本体２の底部２４から頂部２３に向かう方向に延在する空気ダクト８３ａ（より具体的には、ケース本体２の柱部材内に配置された空気ダクト８３ａ）を備える。当該空気ダクト８３ａは、上述の第２ダクト８３２であってもよいし、上述の第３ダクト８３３であってもよい。空気ダクト８３ａは、例えば、上述の連結ダクト８８に連結され、空気ダクト８３ａおよび連結ダクト８８は、開口Ｑを介して連通する。
【００７９】
図７に記載の例では、空気ダクト８３ａは、ケース本体２の底部２４から頂部２３に向かって延在する主流路Ｐを備える。図７に記載の例では、主流路Ｐは、第１部分Ｐ１、および、第２部分Ｐ２を含み、第１部分Ｐ１と第２部分Ｐ２との間に第１開口Ｑ１が形成されている。第１開口Ｑ１は、例えば、上述の最下段ダクト８３１ａと連通する開口であり、最下段ダクト８３１ａに空気を供給する開口である。図７に記載の例では、第１部分Ｐ１の流路断面積は、第２部分Ｐ２の流路断面積よりも大きい。この場合、第１部分Ｐ１を流れる空気が、好適に、第２部分Ｐ２と、第１開口Ｑ１に連通するダクト（例えば、最下段ダクト８３１ａ）とに分配される。
【００８０】
図７に記載の例では、主流路Ｐは、第３部分Ｐ３を含み、第２部分Ｐ２と第３部分Ｐ３との間に第２開口Ｑ２が形成されている。第２開口Ｑ２は、例えば、上述の中段ダクト８３１ｃと連通する開口であり、中段ダクト８３１ｃに空気を供給する開口である。図７に記載の例では、第２部分Ｐ２の流路断面積は、第３部分Ｐ３の流路断面積よりも大きい。この場合、第２部分Ｐ２を流れる空気が、好適に、第３部分Ｐ３と、第２開口Ｑ２に連通するダクト（例えば、中段ダクト８３１ｃ）とに分配される。
【００８１】
図７に記載の例では、主流路Ｐには、第３開口Ｑ３が形成されている。第３開口Ｑ３は、例えば、主流路Ｐの端部に形成される。第３開口Ｑ３は、例えば、連結ダクト８８と連通する開口Ｑが配置される主流路Ｐの端部とは、反対側の端部に形成される。
【００８２】
第３開口Ｑ３は、例えば、上述の最上段ダクト８３１ｂと連通する開口であり、最上段ダクト８３１ｂに空気を供給する開口である。図７に記載の例では、第３部分Ｐ３を流れる空気の全体が、第３開口Ｑ３に連通するダクト（例えば、最上段ダクト８３１ｂ）に送られる。
【００８３】
（ショーケースの全体構成）
図８乃至図１０を参照してショーケース１の全体的な構成の一例について説明する。図８および図９は、実施形態におけるショーケース１を模式的に示す概略斜視図である。なお、図８は、ショーケース１を斜め前方から見た時の斜視図であり、図９は、ショーケースを斜め後方から見た時の斜視図である。図１０は、実施形態におけるショーケース１を模式的に示す概略縦断面図である。
【００８４】
図８および図９に記載の例では、ケース本体２は、正面部２６と、２つの側壁２１と、頂部２３と底部２４と、背部２７とを備える。正面部２６には、開閉部材２８が配置されている。客は、商品載置ユニット４の把手部４８を第１方向に引っ張ることにより、開閉部材２８を閉状態から開状態にすると同時に、商品載置ユニット４を第１方向に引き出すことができる。より具体的には、図１０に例示されるように、商品載置ユニット４に、開閉部材２８を押圧する押圧部材４９が設けられ、開閉部材２８に、押圧部材４９によって押圧される被押圧部材２９が設けられている。また、ケース本体２には、商品載置ユニット４の移動を案内するガイド部材１０（例えば、ガイドレール）が設けられている。
【００８５】
図１０に記載の例では、筐体部２０（例えば、側壁２１）に、開閉部材２８が揺動可能に取り付けられている。開閉部材２８は、少なくとも一部が透明な部材によって構成されており、客は、開閉部材２８を介して、ケース本体２内の商品を視認することができる。開閉部材２８は、その上端部に水平揺動軸を備えることが好ましい。
【００８６】
図１０に記載の例では、開閉部材２８は、商品載置ユニット４の引き出しに応じて、自動的に、開放される揺動扉である。また、複数の商品載置ユニット４の前方に、複数の開閉部材２８が、それぞれ配置されている。ただし、実施形態における開閉部材２８は、図１０に記載の態様に限定されない。開閉部材２８は、例えば、スライド扉あるいは観音開きの扉であってもよい。また、開閉部材２８の数は、いくつであっても構わない。
【００８７】
図１０に記載の例では、上下方向に沿って、複数の商品載置ユニット４が配置されている。また、図１０に記載の例では、各商品載置ユニット４の下方に、ヒーター部材５が配置されている。代替的に、複数の商品載置ユニット４のうちの少なくとも１つ（例えば、最下段の商品載置ユニット）の下方には、ヒーター部材５が配置されていなくてもよい。
【００８８】
図８に記載の例では、第１側壁（例えば、左側の側壁２１）の上端に、空気排出口８４が形成されている。また、図９に記載の例では、ケース本体２の底部２４（より具体的には、底部２４のうち背面側の面）に、空気吸引口８２が形成されている。また、ケース本体２の底部２４（より具体的には、底部２４のうち背面側の面）に、電源スイッチ、温度調整スイッチ等の操作部が設けられている。さらに、図９に記載の例では、ケース本体２の背部２７に、第２開閉部材９（背面側開閉部材）が設けられている。第２開閉部材９を、開状態にすることにより、店員は、商品載置ユニット４上に商品を補充することができる。
【００８９】
本発明は上記実施形態に限定されず、本発明の技術思想の範囲内において、実施形態は適宜変形又は変更され得ることは明らかである。また、実施形態における任意付加的な構成は、適宜省略可能である。
【００９０】
例えば、上述の実施形態では、冷却装置８が、ＬＥＤ７１および電装部品６１の両方を冷却する例について説明された。代替的に、冷却装置８は、ＬＥＤ７１、電装部品６１のうちの一方のみを冷却するように構成されてもよい。
【００９１】
また、上述の実施形態では、ＬＥＤ７１を冷却する空気が流れる空気ダクト８３と、電装部品６１を冷却する空気が流れる電装部品冷却空気用ダクト８７とが、連結ダクト８８を介して、直列接続される例について説明された。代替的に、ＬＥＤ７１を冷却する空気が流れる空気ダクト８３と、電装部品６１を冷却する空気が流れる電装部品冷却空気用ダクト８７とが、並列配置されてもよい。例えば、ファン８１によって取り込まれた空気が、分岐部を介して、ＬＥＤ７１を冷却する空気が流れる空気ダクト８３と、電装部品６１を冷却する空気が流れる電装部品冷却空気用ダクト８７とに分配されるように構成されてもよい。あるいは、ショーケース１が、空気ダクト８３に空気を供給する第１ファンと、電装部品冷却空気用ダクト８７に空気を供給する第２ファン（第１ファンとは異なるファン）とを備えていてもよい。また、ＬＥＤ７１を冷却する空気を供給する流路と、電装部品６１を冷却する空気を供給する流路とが、完全に別の流路であってもよい。なお、このような変形例を採用する場合であっても、空気ダクト８３の構成・配置として、図３、図４、または、図７に記載の構成・配置が採用されてもよい。また、電装部品冷却空気用ダクト８７の構成・配置として、図５、または、図６に記載の構成・配置が採用されてもよい。
【００９２】
また、上述の実施形態では、電装部品冷却空気用ダクト８７が、電装部品６１を収納する第１筐体６５の頂部の上に形成される例について説明された。付加的に、電装部品冷却空気用ダクト８７は、第１筐体６５の側部に沿って形成されてもよい。
【００９３】
また、上述の実施形態では、ショーケース１がセルフサービス型のショーケースである例について説明された。代替的に、ショーケース１は、店員が商品を取り出すように構成された注文型のショーケースであってもよい。なお、セルフサービス型のショーケースでは、様々な背の高さの客が快適に商品を取り出せるように、ケース本体の高さ寸法を、よりコンパクトにする必要がある。このため、セルフサービス型のショーケースでは、電装部品６１とヒーター部材５との間の距離が小さくなることが想定される。このような場合でも、電装部品冷却空気用ダクト８７を、電装部品６１を収納する第１筐体６５の頂部の上に形成することにより、電装部品６１の耐久性が維持される。例えば、最下段のヒーター部材５ａの周囲の温度が、摂氏８０度以上、摂氏１００度以上、摂氏１２０度以上、あるいは、摂氏１４０度以上となる場合であっても、第１筐体６５内の電装部品６１の温度を摂氏６０度以下に維持することが可能である。
【符号の説明】
【００９４】
１        ：ショーケース
２        ：ケース本体
４        ：商品載置ユニット
５        ：ヒーター部材
５ａ      ：最下段のヒーター部材
７        ：照明装置
８        ：冷却装置
９        ：第２開閉部材
１０      ：ガイド部材
２０      ：筐体部
２１      ：側壁
２３      ：頂部
２４      ：底部
２５ａ    ：第１連結部材
２５ｂ    ：第２連結部材
２６      ：正面部
２７      ：背部
２８      ：開閉部材
２９      ：被押圧部材
４１      ：商品載置部
４８      ：把手部
４９      ：押圧部材
５０      ：ヒーターユニット
６１      ：電装部品
６５      ：第１筐体
７０      ：照明ユニット
７０ａ    ：第１照明ユニット
７０ｂ    ：第２照明ユニット
７０ｃ    ：第３照明ユニット
７１、７１ａ、７１ｂ、７１ｃ：ＬＥＤ
７２、７２ａ、７２ｂ、７２ｃ：ＬＥＤ基板
７４      ：透明部材
７５      ：外部空間に面する面
７６      ：他の一面
８１      ：ファン
８２      ：空気吸引口
８３      ：空気ダクト
８３ａ    ：空気ダクト
８４      ：空気排出口
８５      ：フィルタ部材
８７      ：電装部品冷却空気用ダクト
８７ａ    ：第１部分
８７ｂ    ：第２部分
８７ｃ    ：第３部分
８８      ：連結ダクト
６５１    ：頂部
７０１    ：第１端部
７０２    ：入口開口
７０３    ：第２端部
７０４    ：出口開口
８３１    ：第１ダクト
８３１ａ  ：最下段ダクト
８３１ｂ  ：最上段ダクト
８３１ｃ  ：中段ダクト
８３２    ：第２ダクト
８３３    ：第３ダクト
８７１    ：底面
８７２    ：空気取入口
８７３    ：空気取出口
ＡＸ      ：軸
Ｇ        ：隙間
Ｍ        ：商品
ＯＰ      ：開口部
Ｐ        ：主流路
Ｐ１      ：第１部分
Ｐ２      ：第２部分
Ｐ３      ：第３部分
Ｑ        ：開口
Ｑ１      ：第１開口
Ｑ２      ：第２開口
Ｑ３      ：第３開口
ＳＰ１    ：内部空間
ＳＰ２    ：空間
ＳＰ３    ：空間
ＴＰ      ：外部空間
【図１】
2020130708.tif 000003
【図２】
2020130708.tif 000004
【図３】
2020130708.tif 000005
【図４】
2020130708.tif 000006
【図５】
2020130708.tif 000007
【図６】
2020130708.tif 000008
【図７】
2020130708.tif 000009
【図８】
2020130708.tif 000010
【図９】
2020130708.tif 000011
【図１０】
2020130708.tif 000012
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
内部空間を外部空間から隔離するケース本体と、
前記内部空間に配置される商品載置部を有する商品載置ユニットと、
前記商品載置部上に配置される商品を加熱するヒーター部材と、
前記商品を照明する照明装置と、
前記ヒーター部材を作動させる電装部品と、
前記ヒーター部材によって加熱された前記照明装置を冷却する冷却装置と
を具備し、
前記照明装置は、前記ケース本体内に配置されるＬＥＤを含み、
前記冷却装置は、
前記外部空間から空気を取り込むファンと、
前記ファンによって取り込まれた前記空気を前記ＬＥＤに向けて送る空気ダクトと
を含み、
前記照明装置は、ショーケース幅方向に沿って配置される複数の前記ＬＥＤを含み、
前記空気ダクトは、複数の前記ＬＥＤを冷却するために前記ショーケース幅方向に沿って配置される第１ダクトと、前記ケース本体の第１側部に沿って配置される第２ダクトとを含み、
前記ファンは、前記第２ダクトの内部を下方から上方に向かう空気の流れ、および、複数の前記ＬＥＤを冷却するために前記第１ダクトの一端部から他端部に向かう空気の流れを形成する
ショーケース。
【請求項２】
前記商品が配置される空間と、前記空気ダクト内の空間とは互いに隔離されており、
前記冷却装置は、前記商品を冷却することなく前記照明装置を冷却する
請求項１に記載のショーケース。
【請求項３】
前記ファンによって取り込まれた前記空気は、前記電装部品を冷却してから前記ＬＥＤに向けて送られるか、あるいは、前記ＬＥＤを冷却してから前記電装部品に向けて送られるように構成されている
請求項１または２に記載のショーケース。
【請求項４】
内部空間を外部空間から隔離するケース本体と、
前記内部空間に配置される商品載置部を有する商品載置ユニットと、
前記商品載置部上に配置される商品を加熱するヒーター部材と、
前記商品を照明する照明装置と、
前記ヒーター部材を作動させる電装部品と、
前記ヒーター部材によって加熱された前記照明装置を冷却する冷却装置と、
前記照明装置の冷却に使用された空気を、前記外部空間に排出する空気排出口と
を具備し、
前記照明装置は、前記ケース本体内に配置されるＬＥＤを含み、
前記冷却装置は、
前記外部空間から空気を取り込むファンと、
前記ファンによって取り込まれた前記空気を前記ＬＥＤに向けて送る空気ダクトと
を含み、
前記空気排出口は、前記ケース本体の頂部に設けられる
ショーケース。
【請求項５】
複数の前記ＬＥＤを含む照明ユニットが、前記ケース本体から取り外し可能であり、
前記照明ユニットは、前記ショーケース幅方向に沿って配置される前記第１ダクトを有する
請求項１乃至３のいずれか一項に記載のショーケース。
【請求項６】
前記ケース本体は、
頂部と、
底部と、
前記頂部と前記底部とを連結し、前記底部から前記頂部に向かう方向に延在する第１連結部材と
を含み、
前記空気ダクトの一部を構成する前記第２ダクトが、前記第１連結部材内に配置されている
請求項１乃至３のいずれか一項に記載のショーケース。
【請求項７】
前記電装部品を囲む第１筐体と、
前記電装部品を冷却する空気が流れる電装部品冷却空気用ダクトと
を更に具備し、
前記電装部品冷却空気用ダクトは、前記第１筐体の頂部の上に形成され、
前記電装部品冷却空気用ダクトは、前記第１筐体の前記頂部に沿う方向の空気流路を規定する
請求項１乃至６のいずれか一項に記載のショーケース。
【請求項８】
前記電装部品冷却空気用ダクトは、前記第１筐体の頂部と、最下段の前記ヒーター部材との間に配置されている
請求項７に記載のショーケース。
【請求項９】
内部空間を外部空間から隔離するケース本体と、
前記内部空間に配置される商品載置部を有する商品載置ユニットと、
前記商品載置部上に配置される商品を加熱するヒーター部材と、
前記商品を照明する照明装置と、
前記ヒーター部材よりも低い位置に配置され、前記ヒーター部材を作動させる電装部品と、
前記電装部品を囲む第１筐体と、
前記ヒーター部材によって加熱された前記電装部品を冷却する冷却装置と
を具備し、
前記冷却装置は、
前記外部空間から空気を取り込むファンと、
前記電装部品を冷却する空気が流れる電装部品冷却空気用ダクトと
を含み、
前記電装部品冷却空気用ダクトは、前記第１筐体の頂部の上に形成され、
前記電装部品冷却空気用ダクトは、前記第１筐体の前記頂部に沿う方向の空気流路を規定する
ショーケース。
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
内部空間を外部空間から隔離するケース本体と、
前記内部空間に配置される商品載置部を有する商品載置ユニットと、
前記商品載置部上に配置される商品を加熱するヒーター部材と、
前記商品を照明する照明装置と、
前記ヒーター部材を作動させる電装部品と、
前記ヒーター部材によって加熱された前記照明装置を冷却する冷却装置と
を具備し、
前記照明装置は、前記ケース本体内に配置されるＬＥＤを含み、
前記冷却装置は、
前記外部空間から空気を取り込むファンと、
前記ファンによって取り込まれた前記空気を前記ＬＥＤに向けて送る空気ダクトと
を含み、
前記照明装置は、ショーケース幅方向に沿って配置される複数の前記ＬＥＤを含み、
前記空気ダクトは、複数の前記ＬＥＤを冷却するために前記ショーケース幅方向に沿って配置される第１ダクトと、前記ケース本体の第１側部に沿って配置される第２ダクトとを含み、
前記ファンは、前記第２ダクトの内部を下方から上方に向かう空気の流れ、および、複数の前記ＬＥＤを冷却するために前記第１ダクトの一端部から他端部に向かう空気の流れを形成する
ショーケース。
【請求項２】
前記商品が配置される空間と、前記空気ダクト内の空間とは互いに隔離されており、
前記冷却装置は、前記商品を冷却することなく前記照明装置を冷却する
請求項１に記載のショーケース。
【請求項３】
前記ファンによって取り込まれた前記空気は、前記電装部品を冷却してから前記ＬＥＤに向けて送られるか、あるいは、前記ＬＥＤを冷却してから前記電装部品に向けて送られるように構成されている
請求項１または２に記載のショーケース。
【請求項４】
前記照明装置の冷却に使用された空気を、前記外部空間に排出する空気排出口を更に具備し、
前記空気排出口は、前記ケース本体の頂部に設けられる
請求項１乃至３のいずれか一項に記載のショーケース。
【請求項５】
複数の前記ＬＥＤを含む照明ユニットが、前記ケース本体から取り外し可能であり、
前記照明ユニットは、前記ショーケース幅方向に沿って配置される前記第１ダクトを有する
請求項１乃至３のいずれか一項に記載のショーケース。
【請求項６】
前記ケース本体は、
頂部と、
底部と、
前記頂部と前記底部とを連結し、前記底部から前記頂部に向かう方向に延在する第１連結部材と
を含み、
前記空気ダクトの一部を構成する前記第２ダクトが、前記第１連結部材内に配置されている
請求項１乃至３のいずれか一項に記載のショーケース。
【請求項７】
前記電装部品を囲む第１筐体と、
前記電装部品を冷却する空気が流れる電装部品冷却空気用ダクトと
を更に具備し、
前記電装部品冷却空気用ダクトは、前記第１筐体の頂部の上に形成され、
前記電装部品冷却空気用ダクトは、前記第１筐体の前記頂部に沿う方向の空気流路を規定する
請求項１乃至６のいずれか一項に記載のショーケース。
【請求項８】
前記電装部品冷却空気用ダクトは、前記第１筐体の頂部と、最下段の前記ヒーター部材との間に配置されている
請求項７に記載のショーケース。
【請求項９】
内部空間を外部空間から隔離するケース本体と、
前記内部空間に配置される商品載置部を有する商品載置ユニットと、
前記商品載置部上に配置される商品を加熱するヒーター部材と、
前記商品を照明する照明装置と、
前記ヒーター部材よりも低い位置に配置され、前記ヒーター部材を作動させる電装部品と、
前記電装部品を囲む第１筐体と、
前記ヒーター部材によって加熱された前記電装部品を冷却する冷却装置と
を具備し、
前記冷却装置は、
前記外部空間から空気を取り込むファンと、
前記電装部品を冷却する空気が流れる電装部品冷却空気用ダクトと
を含み、
前記電装部品冷却空気用ダクトは、前記第１筐体の頂部の上に形成され、
前記電装部品冷却空気用ダクトは、前記第１筐体の前記頂部に沿う方向の空気流路を規定する
ショーケース。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
内部空間を外部空間から隔離するケース本体と、
前記内部空間に配置される商品載置部を有する商品載置ユニットと、
前記商品載置部上に配置される商品を加熱するヒーター部材と、
前記商品を照明する照明装置と、
前記ヒーター部材を作動させる電装部品と、
前記ヒーター部材によって加熱された前記照明装置を冷却する冷却装置と
を具備し、
前記照明装置は、前記ケース本体内に配置されるＬＥＤを含み、
前記冷却装置は、
前記外部空間から空気を取り込むファンと、
前記ファンによって取り込まれた前記空気を前記ＬＥＤに向けて送る空気ダクトと
を含み、
前記照明装置は、ショーケース幅方向に沿って配置される複数の前記ＬＥＤを含み、
前記空気ダクトは、複数の前記ＬＥＤを冷却するために前記ショーケース幅方向に沿って配置される第１ダクトと、前記ケース本体の第１側部に沿って配置される第２ダクトとを含み、
前記ファンは、前記第２ダクトの内部を下方から上方に向かう空気の流れ、および、複数の前記ＬＥＤを冷却するために前記第１ダクトの一端部から他端部に向かう空気の流れを形成する
ショーケース。
【請求項２】
前記商品が配置される空間と、前記空気ダクト内の空間とは互いに隔離されており、
前記冷却装置は、前記商品を冷却することなく前記照明装置を冷却する
請求項１に記載のショーケース。
【請求項３】
前記ファンによって取り込まれた前記空気は、前記電装部品を冷却してから前記ＬＥＤに向けて送られるか、あるいは、前記ＬＥＤを冷却してから前記電装部品に向けて送られるように構成されている
請求項１または２に記載のショーケース。
【請求項４】
前記照明装置の冷却に使用された空気を、前記外部空間に排出する空気排出口を更に具備し、
前記空気排出口は、前記ケース本体の頂部に設けられる
請求項１乃至３のいずれか一項に記載のショーケース。
【請求項５】
複数の前記ＬＥＤを含む照明ユニットが、前記ケース本体から取り外し可能であり、
前記照明ユニットは、前記ショーケース幅方向に沿って配置される前記第１ダクトを有する
請求項１乃至３のいずれか一項に記載のショーケース。
【請求項６】
前記ケース本体は、
頂部と、
底部と、
前記頂部と前記底部とを連結し、前記底部から前記頂部に向かう方向に延在する第１連結部材と
を含み、
前記空気ダクトの一部を構成する前記第２ダクトが、前記第１連結部材内に配置されている
請求項１乃至３のいずれか一項に記載のショーケース。
【請求項７】
前記電装部品を囲む第１筐体と、
前記電装部品を冷却する空気が流れる電装部品冷却空気用ダクトと
を更に具備し、
前記電装部品冷却空気用ダクトは、前記第１筐体の頂部の上に形成され、
前記電装部品冷却空気用ダクトは、前記第１筐体の前記頂部に沿う方向の空気流路を規定する
請求項１乃至６のいずれか一項に記載のショーケース。
【請求項８】
前記電装部品冷却空気用ダクトは、前記第１筐体の頂部と、最下段の前記ヒーター部材との間に配置されている
請求項７に記載のショーケース。